(57)【特許請求の範囲】
【請求項１】
プリント基板上の適宜間隔を隔てた点在状となる複数箇所夫々に、チップＬＥＤ用の位置決め搭載箇所を設定し、各チップＬＥＤ用の位置決め搭載箇所の周囲には、適宜配置となる複数個の被嵌合部を設け、各位置決め搭載箇所に、夫々チップＬＥＤを位置決め搭載し、各チップＬＥＤには、当該プリント基板上の主要範囲に積層状被着可能な透明板状体からなり、各チップＬＥＤに対応する箇所夫々に概略肉厚ドーム形を呈し、対象チップＬＥＤの照明範囲を覆う光学素子部、各光学素子部の裾部周囲に設けた焦点距離規制座面、および、各光学素子部の余となる範囲の各被嵌合部に対応する複数箇所夫々に設けた位置決め嵌合部の一体化された配光制御レンズアレイを、その焦点距離規制座面が、当該プリント基板上に積層状に接合・被着するよう組み合わせると共に、各位置決め嵌合部を、同プリント基板の対応する被嵌合部に嵌合して位置決め可能とした上、該プリント基板の対峙する両端がわに設けた一対のコネクタ接続用形状部、配光制御レンズアレイのプリント基板コネクタ接続用形状部に対応する両端がわに設けたコネクタ係合部、および、プリント基板各コネクタ接続用形状部と、それらに対応させた配光制御レンズアレイ各コネクタ係合部とを共に一体化するよう嵌合可能な仮固定用の一対のリード線接続コネクタを介して一体化してなるものとしたことを特徴とするＬＥＤ実装基板。
【請求項２】
プリント基板上の適宜間隔を隔てた点在状となる複数箇所夫々に、チップＬＥＤ用の位置決め搭載箇所を設定し、各チップＬＥＤ用の位置決め搭載箇所の周囲には、適宜配置となる複数個の被嵌合部を設け、各位置決め搭載箇所に、夫々チップＬＥＤを位置決め搭載し、各チップＬＥＤには、当該プリント基板上の主要範囲に積層状被着可能な透明板状体からなり、各チップＬＥＤに対応する箇所夫々に概略肉厚ドーム形を呈し、対象チップＬＥＤの照明範囲を覆う光学素子部、各光学素子部の裾部周囲に設けた焦点距離規制座面、および、各光学素子部の余となる範囲の各被嵌合部に対応する複数箇所夫々に設けた位置決め嵌合部の一体化された配光制御レンズアレイを、その焦点距離規制座面が、当該プリント基板上に積層状に接合・被着するよう組み合わせると共に、各位置決め嵌合部を、同プリント基板の対応する被嵌合部に嵌合して位置決め可能とした上、該プリント基板の対峙する両端がわに設けた一対のコネクタ接続用形状部、配光制御レンズアレイのプリント基板コネクタ接続用形状部に対応する両端がわに設けたコネクタ係合部、および、プリント基板各コネクタ接続用形状部と、それらに対応させた配光制御レンズアレイ各コネクタ係合部とを共に一体化するよう嵌合可能な仮固定用の一対のリード線接続コネクタを介し、該プリント基板両端の各コネクタ接続用形状部夫々に機械的および電気的に接続する各リード線接続コネクタが、配光制御レンズアレイの両端がわ各コネクタ係合部にも機械的に係合し、脱着容易に一体化してなるものとしたことを特徴とするＬＥＤ実装基板。
【請求項３】
概略直方体状の最も広い一面を照明開口として開口した容器型の灯具筐体を有し、該灯具筐体内の底面長辺方向一側寄りに設定した制御回路配置用区画に、照明制御回路を集合状に収納し、該灯具筐体内の底面長辺方向一側とは反対がわの他側に、底面短辺幅の中央付近で同長辺方向の直線状に縦分割した一対の光源装置配置用区画を設定し、それら一対の光源装置配置用区画中の少なくとも何れか一方に、当該灯具筐体内適所に設けた支持機構を介在し、適宜寸法形状の放熱板を、当該灯具筐体底壁に平行な標準姿勢、および、同灯具筐体の底面長辺に平行に延びる仮想軸心回りの所定角度に傾けた傾斜姿勢の何れか一方の支持姿勢とするよう固定し、各放熱板の灯具筐体照明開口に臨む表面に反射膜を設けると共に、各放熱板の表面には、請求項１または２何れか一記載のＬＥＤ実装基板を適数、適宜配するよう搭載したＬＥＤ光源装置を設けた上、当該灯具筐体照明開口に、防水パッキンを介して透明板を密閉状に装着してなるものとしたことを特徴とするＬＥＤ照明灯具。
【請求項４】
概略直方体状の最も広い一面を照明開口として開口し、底部外壁に灯具取付け脚を設けた容器型の灯具筐体を有し、該灯具筐体の周囲壁適所に、電源接続レセプタクルおよび調光信号接続レセプタクルを設け、該灯具筐体内の底面長辺方向一側寄りに設定した制御回路配置用区画に、ＬＥＤ電源、調光器の照明制御回路を集合状に収納し、該灯具筐体内の底面長辺方向一側とは反対がわの他側に、底面短辺幅の中央付近で同長辺方向の直線状に縦分割した一対の光源装置配置用区画を設定し、それら一対の光源装置配置用区画中の少なくとも何れか一方に、当該灯具筐体内適所に設けた支持機構を介在し、該光源装置配置用区画に収まる形状・寸法の放熱板を、当該灯具筐体底壁に平行な標準姿勢、および、同灯具筐体の底面長辺に平行に延びる仮想軸心回りの所定角度に傾けた傾斜姿勢の何れか一方の支持姿勢とするよう固定し、各放熱板の灯具筐体照明開口に臨む表面に反射膜を設けると共に、各放熱板の表面には、請求項１または２何れか一記載のＬＥＤ実装基板を適数、適宜配するよう搭載したＬＥＤ光源装置を設けた上、当該灯具筐体照明開口には、防水パッキンを介して透明板を装着し、照明開口周囲の均衡する複数箇所に配した透明板固定金具が、開閉可能とするよう密閉状に閉鎖してなるものとしたことを特徴とするＬＥＤ照明灯具。
【請求項５】
放熱板の灯具筐体の底面長辺に平行に延びる仮想軸心回りに傾斜姿勢とする所定角度が、灯具筐体底壁に対し、５度ないし３０度の範囲内から、設置場所の配光条件に応じて適宜選択した角度に設定してなる、請求項３または４何れか一項記載のＬＥＤ照明灯具。
【請求項６】
支持機構が、灯具筐体内一対の光源装置配置用区画に略相当する外郭形状とし、表面に各放熱板を搭載可能とした熱伝導性ベース板を、該灯具筐体内壁の適所に対し、複数のスペーサーを介して僅かな間隙を確保するよう組み込んでなるものとした、請求項３ないし５何れか一項記載のＬＥＤ照明灯具。
【発明の詳細な説明】
【技術分野】
【０００１】
この発明は、ＬＥＤ（Ｌｉｇｈｔ  Ｅｍｉｔｔｉｎｇ  Ｄｉｏｄｅ）を利用した照明技術に関連するものであり、特に、道路やトンネルなどに設置可能になるＬＥＤ照明灯具を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示や、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                              
【背景技術】
【０００２】
（着目点）
我が国の高速道路網は、その区間の多くが山岳部を通過し、トンネルの数が多く、トンネル設備の中で最も消費エネルギーの多い照明施設を、より高効率化、低環境負荷化することが、高速道路を建設・管理する関係者にとって重要なテーマであり、さらに、トンネルの出入り口付近の照明が適切な状態に設置されていなければ、トンネルの入り口直前付近で野外の明るさに慣れているドライバーの目が、トンネル入り口内を真っ黒に視認してしまい、落下物などの障害物を見落としてしまう虞のあるブラックホール現象や、トンネル進入直後に、トンネル内の暗さに完全に順応するまで時間が掛かってしまうという暗順応の遅れ現象などを生じたり、トンネル内の暗さに順応しているドライバーの目が、トンネルの出口を真っ白に認識してしまうホワイトホール現象などを生じてしまうといった虞があり、こうした危険性を排除して、より安全性の高い照明施設への改善が不可欠である。
【０００３】
（従来の技術）
こうした状況を憂慮し、本願出願人はこれまで、例えば、下記の特許文献１（１）および同特許文献１（２）などに提案されているものに代表されるように、１つの灯具筐体内に複数個のＬＥＤ光源を配列し、各ＬＥＤ光源の支持姿勢を個別に調節可能とすることにより、ＬＥＤ光源の欠点である照明範囲の狭さを克服し、より広い範囲を照明可能とするよう改良し、従来の蛍光灯照明に置き換えることができるものとする技術を開発積みとしてきた。
【０００４】
しかし、前記の特許文献１（１）および同特許文献１（２）などに示した、ＬＥＤ照明技術は、何れも広い範囲に、より均質な照明を行き渡らせようとするものであり、例えば、１個のＬＥＤ照明灯具が、対向２車線の各走行車線の暗さに応じて、夫々の走行車線を個別的に安全な明るさとするよう照明するという技術は、未だ存在しておらず、従来型のＬＥＤ照明灯具を用いれば、各走行車線毎に１基ずつのＬＥＤ照明灯具を設置せざるを得ず、安全を確保できる一方で、照明灯具設置およびメンテナンス費用が増大してしむという欠点を生じてしまうものであった。                                                                                    
【特許文献１】（１）特開２０１０−１５３３５７号公報    （２）特開２０１２−３８５３２号公報
【発明の概要】
【発明が解決しようとする課題】
【０００５】
（問題意識）
上述したとおり、従前までに提案のある各種ＬＥＤ照明灯具は、何れも支障無く蛍光灯照明に置き換え可能とするよう、より広い範囲を均質に照明し、トンネル内を走行する車両の安全を確保しようとするものであり、当初は、そうした条件を満たせば充分に実用に耐え得るものとしていたが、実際に設置・利用を進めて行く中に、これまで問題として認識されていなかった様々な事象や新たな課題などを見出し、ＬＥＤ光源の特徴である指向性、および、調光制御可能であるという利点を活かし、一層効率的で無駄なく、さらに一層高い安全性を確保できる新たな照明技術の開発への可能性を痛感するに至ったものである。
【０００６】
（発明の目的）
そこで、この発明は、照明対象となる走行車線毎に、より的確な照明を実現化可能とし、トンネルの入り口や出口など、時間と共に刻々と変化する路面の暗さにも対応可能な新たなＬＥＤ照明技術の開発はできないものかとの判断から、逸速くその開発、研究に着手し、長期に渡る試行錯誤と幾多の試作、実験とを繰り返してきた結果、今回、遂に新規な構造のＬＥＤ実装基板、および新規な構造のＬＥＤ照明灯具を実現化することに成功したものであり、以下では、図面に示すこの発明を代表する実施例と共に、その構成を詳述することとする。                                                                                                      
【課題を解決するための手段】
【０００７】
（発明の構成）
図面に示すこの発明を代表する実施例からも明確に理解されるように、この発明のＬＥＤ実装基板は、基本的に次のような構成から成り立っている。
即ち、プリント基板上の適宜間隔を隔てた点在状となる複数箇所の夫々に、チップＬＥＤ用の位置決め搭載箇所を設定し、各チップＬＥＤ用の位置決め搭載箇所の周囲には、夫々略均衡するように配して複数個の被嵌合部を設けると共に、各位置決め搭載箇所に、夫々チップＬＥＤを位置決め搭載し、各チップＬＥＤには、概略肉厚ドーム形を呈し、対象チップＬＥＤの照明範囲を覆う光学素子部、該光学素子部の裾部周囲に設けた焦点距離規制座面、および、該光学素子部周囲に、当該プリント基板各被嵌合部に対応するよう設けた位置決め嵌合部を有する配光制御レンズを、各焦点距離規制座面が、当該プリント基板上に積層状に接合・被着するよう組合せた上、各位置決め嵌合部を、同プリント基板の対応する被嵌合部に嵌合し、位置決め可能とし、適宜仮固定機構を介して一体化してなるものとした構成を要旨とするＬＥＤ実装基板である。
【０００８】
この基本的な構成からなるＬＥＤ実装基板は、その表現を変えて示すならば、プリント基板上の適宜間隔を隔てた点在状となる複数箇所夫々に、チップＬＥＤ用の位置決め搭載箇所を設定し、各チップＬＥＤ用の位置決め搭載箇所の周囲には、適宜配置となる複数個の被嵌合部を設けると共に、各位置決め搭載箇所に、夫々チップＬＥＤを位置決め搭載し、各チップＬＥＤには、当該プリント基板上の主要範囲に積層状被着可能な透明板状体からなり、各チップＬＥＤに対応する箇所夫々に概略肉厚ドーム形を呈し、対象チップＬＥＤの照明範囲を覆う光学素子部、各光学素子部の裾部周囲に設けた焦点距離規制座面、および、各光学素子部の余となる範囲の、各被嵌合部に対応する複数箇所に夫々に設けた位置決め嵌合部を一体化した配光制御レンズアレイを、その焦点距離規制座面が、当該プリント基板上に積層状に接合・被着するよう組合せた上、各位置決め嵌合部を、同プリント基板の対応する被嵌合部に嵌合し、位置決め可能とし、適宜仮固定機構を介して一体化してなるものとした構成からなるＬＥＤ実装基板となる。
【０００９】
（関連する発明１）
上記したＬＥＤ実装基板に関連し、この発明には、そのＬＥＤ実装基板を搭載可能なＬＥＤ照明灯具も包含している。
即ち、概略直方体状の最も広い一面を照明開口として開口した容器型の灯具筐体を有し、該灯具筐体内の底面長辺方向一側寄りに設定した制御回路配置用区画に、照明制御回路を集合状に収納し、該灯具筐体内の底面長辺方向一側とは反対がわの他側に、底面短辺幅の中央付近で同長辺方向の直線状に縦分割した一対の光源装置配置用区画を設定し、それら一対の光源装置配置用区画中の少なくとも何れか一方に、当該灯具筐体内適所に設けた支持機構を介在し、適宜寸法形状の放熱板を、当該灯具筐体底壁に平行な標準姿勢、および、同灯具筐体の底面長辺に平行に延びる仮想軸心回りの所定角度に傾けた傾斜姿勢の何れか一方の支持姿勢とするよう固定し、各放熱板の灯具筐体照明開口に臨む表面に反射膜を設けると共に、各放熱板の表面には、適数のＬＥＤ実装基板を適宜配するよう搭載したＬＥＤ光源装置を設けた上、当該灯具筐体照明開口に、防水パッキンを介して透明板を密閉状に装着してなるものとした構成からなるＬＥＤ照明灯具である。
【００１０】
このＬＥＤ照明灯具を、より具体的なものとして示すと、概略直方体状の最も広い一面を照明開口として開口した容器型の灯具筐体を有し、該灯具筐体内の底面長辺方向一側寄りに設定した制御回路配置用区画に、照明制御回路を集合状に収納し、該灯具筐体内の底面長辺方向一側とは反対がわの他側に、底面短辺幅の中央付近で同長辺方向の直線状に縦分割した一対の光源装置配置用区画を設定し、それら一対の光源装置配置用区画中の少なくとも何れか一方に、当該灯具筐体内適所に設けた支持機構を介在し、適宜寸法形状の放熱板を、当該灯具筐体底壁に平行な標準姿勢、および、同灯具筐体の底面長辺に平行に延びる仮想軸心回りの所定角度に傾けた傾斜姿勢の何れか一方の支持姿勢とするよう固定し、各放熱板の灯具筐体照明開口に臨む表面に反射膜を設けると共に、各放熱板の表面には、この発明のＬＥＤ実装基板を適数、適宜配するよう搭載したＬＥＤ光源装置を設けた上、当該灯具筐体照明開口に、防水パッキンを介して透明板を密閉状に装着してなるものとした構成からなるＬＥＤ照明灯具となる。
【００１１】
さらに具体的なものとして示すならば、概略直方体状の最も広い一面を照明開口として開口し、底部外壁に灯具取付け脚を設けた容器型の灯具筐体を有し、該灯具筐体の周囲壁適所に、電源接続レセプタクルおよび調光信号接続レセプタクルを設け、該灯具筐体の内底面長辺方向一側寄りに設定した制御回路配置用区画に、ＬＥＤ電源、調光器などの照明制御回路を集合状に収納し、該灯具筐体内の底面長辺方向一側とは反対がわの他側に、底面短辺幅の中央付近で同長辺方向の直線状に縦分割した一対の光源装置配置用区画を設定し、それら一対の光源装置配置用区画中の少なくとも何れか一方に、当該灯具筐体内適所に設けた支持機構を介在し、該光源装置配置用区画に収まる形状・寸法の放熱板を、当該灯具筐体底壁に平行な標準姿勢、および、同灯具筐体の底面長辺に平行に延びる仮想軸心回りの所定角度に傾けた傾斜姿勢の何れか一方の支持姿勢とするよう固定し、各放熱板の灯具筐体照明開口に臨む表面に反射膜を設けると共に、各放熱板の表面には、この発明のＬＥＤ実装基板を適数、適宜配するよう搭載したＬＥＤ光源装置を設けた上、当該灯具筐体照明開口に、防水パッキンを介して透明板を装着し、照明開口周囲の均衡する複数箇所に配した透明板固定金具が、開閉可能とするよう密閉状に閉鎖してなるものとした構成からなるＬＥＤ照明灯具となる。                                                                                              
【発明の効果】
【００１２】
以上のとおり、この発明のＬＥＤ実装基板によれば、従前までのものとは違い、上記したとおりの固有の特徴ある構成から、プリント基板上に搭載した複数個のチップＬＥＤ夫々に配光制御レンズを被着するよう装着するだけで、チップＬＥＤに対する焦点距離を正確に位置決めし、格段に効率的に生産することができ、製造コストの削減とメンテナンス作業の効率化とを達成し、より経済性に秀れたＬＥＤ照明を実現化することができるものとなり、さらに、複数個のチップＬＥＤを搭載したプリント基板上に、個々のチップＬＥＤ毎に正確に対応する複数の光学素子部を一体化した配光制御レンズアレイを組み込むようにしたものは、より高い品質を安定して達成可能とし、格段に生産効率を高め、生産コストおよびメンテナンスコストの大幅削減を可能とするものになるという秀でた特徴が得られるものである。
【００１３】
加えて、プリント基板に対する配光制御レンズアレイの仮固定機構を、プリント基板に電気的に接続するリード線接続コネクタか兼ねるものとすることにより、仮固定機構のための部品点数を削減し、構造を簡素化し、プリント基板にリード線を接続する作業と、プリント基板上に配光制御レンズアレイを装着する作業とを同時に行うことができるものとなり、組み立ておよびメンテナンスの作業効率を一段と高め、生産コストをさらに削減可能なものとすることができる。
【００１４】
そして、この発明のＬＥＤ照明灯具によれば、概略直方体状容器型灯具筐体内における底面長辺方向の一側寄りに、制御回路配置用区画を設定し、同灯具筐体内の底面長辺方向一側とは反対がわの他側に、短辺幅の中央付近で同長辺方向の直線状に縦分割した一対の光源装置配置用区画を設定したから、一対の光源装置配置用区画毎に搭載した各ＬＥＤ実装基板の姿勢角度を、照明対象となる道路素行車線毎に、より適した角度に設定し、車線毎に一段と的確な配光制御を実現化することができ、従来品であれば複数台の照明灯具を設置せざるを得ないような場所にも、一台の設置で充分安全性を確保した照明を達成可能し、安全性および経済性を高水準に両立するものになるという秀でた効果を発揮するものとなる。
【００１５】
さらに、この発明のＬＥＤ照明灯具において、当該発明のＬＥＤ実装基板を組み込んだものは、部品点数を大幅削減し、構造を格段に簡素化し、灯具筐体内を制御回路配置用区画と、一対の光源装置配置用区画とに明確に区分けしたから、各部品の組み込みや交換作業を容易にし、生産コストおよびメンテナンスコストを大幅削減し、灯具をより小型・軽量化したものとすることができる利点が得られる。
【００１６】
放熱板の灯具筐体の底面長辺に平行に延びる仮想軸心回りに傾斜姿勢とする所定角度が、底面壁に対し、５度ないし３０度の範囲の何れか、設置場所の配光条件に応じて適宜選択した角度に設定してなるものは、隣接する２車線の双方を一基の照明灯具によって照明するのに有効なものとなり、しかも３０度を超える角度に設定可能としたものに比較して、底面壁から照明開口の透明板までの距離を浅く設定し、灯具筐体の薄形化および軽量化を実現可能とし、より実用性および安全性に秀でたＬＥＤ照明灯具を提供することができる。
【００１７】
また、支持機構が、灯具筐体内一対の光源装置配置用区画に略相当する外郭形状とし、表面に各放熱板を搭載可能とした熱伝導性ベース板を、該灯具筐体内壁の適所に対し、複数のスペーサーを介して僅かな間隙を確保するよう組み込んでなるものは、各放熱板に搭載するＬＥＤ実装基板を、一段と効率的に放熱・冷却、保温、防振し、外部環境からの温度、湿度、振動などの影響を、大幅軽減し、耐久性を格段に高め、耐久寿命を一層延命化するものになるという大きな効果を奏することになる。                                                                
【発明を実施するための最良の形態】
【００１８】
上記したとおりの構成からなるこの発明の実施に際し、その最良もしくは望ましい形態について説明を加えることにする。
ＬＥＤ光源装置は、灯具筐体内より所望の範囲に照明光を照射可能とし、その光源姿勢を固定的に維持可能とする機能を担い、灯具筐体内底面の長辺方向一側に設定した制御回路配置用区画とは反対がわの他側に、同灯具筐体内の底面短辺幅の中央付近で同長辺方向の直線状に縦分割するよう、設定した一対の光源装置配置用区画の中の少なくとも何れか一方に設けた放熱板の表面適所に、適数のＬＥＤ実装基板を適宜搭載してなるものとしなければならず、各放熱板の支持姿勢を灯具筐体底壁に平行な標準姿勢、および、同灯具筐体の底面長辺に平行に延びる仮想軸心回りの所定角度に傾けた傾斜姿勢の何れか一方の支持姿勢とするよう固定し、後述する実施例に示すように、各放熱板の灯具筐体照明開口に臨む表面に反射膜を設けると共に、各放熱板の表面には、適数のＬＥＤ実装基板を適宜配するよう搭載したものとすべきである。
【００１９】
放熱板は、灯具筐体内に設定した一対の光源装置配置用区画の中の少なくとも何れか一方に、適数のＬＥＤ実装基板を適宜角度姿勢に支持すると共に、ＬＥＤ実装基板が発する熱を効率的に放熱可能とするような機能を担い、熱伝導性および放熱性に秀れ、搭載部品類を支持するに充分な強度を有するものとしなければならず、できるだけ軽量なものとし、灯具筐体照明開口に臨む表面に反射膜を設けたものとすべきであり、耐久性や経済性を考慮すると、後述する実施例にも示してあるように、アルミニウム合金製のものとし、その表面に鏡面層を設けた合成樹脂製の反射シートや、金属箔などからなる反射膜を装着したもの、鍍金層や鏡面塗装膜などとするのが良く、灯具筐体内の光源装置配置用区画となる底部内壁に、僅かな間隙を隔てて平行平板状に設けた、高熱伝導率素材製のベース板の表面適所に対して、所定の姿勢に固定するよう、平板のままや、設置部分となる一部を折曲加工し、所望の角度姿勢に支持可能なものとした上、ネジ止め結合したものなどとすることができる。
【００２０】
ＬＥＤ実装基板は、複数個のチップＬＥＤを、適宜間隔を隔てて配列搭載し、発光可能とするよう配線接続可能とし、放熱板に固定状に搭載し、チップＬＥＤが発する熱を、自ら放熱し、放熱板に効率的に伝達可能とする機能を担い、また、プリント基板は、搭載すべき各チップＬＥＤを機械的に固定すると共に、電力供給用の電子回路を接続可能とする機能を担っていて、電気絶縁性、耐熱性、耐久性および放熱性に秀れた素材製とすべきであり、例えばセラミックス製のものとするのが望ましく、表面上の適宜間隔を隔てた点在状となる複数箇所夫々にチップＬＥＤ用の位置決め搭載箇所を設定し、各チップＬＥＤ用の位置決め搭載箇所の周囲には、夫々略均衡するよう配した複数個の被嵌合部を設けたものとしなければならず、後述する実施例に示すように、リード線接続コネクタを機械的に脱着可能、および電気的に接続可能なものとすることができる。
【００２１】
チップＬＥＤは、照明制御回路から電力の供給を受けて点灯し、外部に向け光を照射可能とする機能を担い、何れかのタイプのＬＥＤ素子を有するものとしなければならず、砲弾型、表面実装型（ＳＭＤ：Ｓｕｒｆａｃｅ  Ｍｏｕｎｔ  Ｄｅｖｉｃｅ）、チップオンボード（Ｃｈｉｐ  Ｏｎ  Ｂｏａｒｄ）など、今後開発されるものを含め、様々なタイプのＬＥＤ素子を設けたものとすることが可能である。
【００２２】
配光制御レンズは、各チップＬＥＤに個別に対応する配光制御を可能とし、各チップＬＥＤの光を、搭載したプリント基板の正面方向に向けて広がるよう、配光制御可能なものとする機能を担い、概略肉厚ドーム形を呈し、対象チップＬＥＤの照明範囲を覆う光学素子部、該光学素子部の裾部周囲に設けた焦点距離規制座面、および、該光学素子部周囲に、当該プリント基板各被嵌合部に対応するよう設けた位置決め嵌合部を有するものとしなければならず、１枚のプリント基板に搭載する各チップＬＥＤに対応する各光学素子部を一体化した配光制御レンズアレイとすることが可能であり、後述する実施例に示すように、プリント基板上の主要範囲に積層状被着可能な透明板状体からなり、各チップＬＥＤに対応する箇所夫々に概略肉厚ドーム形を呈し、対象チップＬＥＤの照明範囲を覆う光学素子部、各光学素子部の裾部周囲に設けた焦点距離規制座面、および、各光学素子部の余となる範囲の、各被嵌合部に対応する複数箇所に夫々に設けた位置決め嵌合部を一体化した配光制御レンズアレイとすることができる。
【００２３】
配光制御レンズの光学素子部は、各チップＬＥＤが発する光を個別に配光制御可能とする機能を担い、概略肉厚ドーム形を呈し、対象チップＬＥＤの照明範囲を覆い、各チップＬＥＤが発する光を個別に配光制御するものとしなければならず、光の透過率を高めたものとすべきであり、周囲に焦点距離規制座面、および、当該プリント基板各被嵌合部に対応するよう設けた位置決め嵌合部を設けたものとすべきである。
【００２４】
配光制御レンズの焦点距離規制座面は、プリント基板に対して配光制御レンズを装着するだけで、各光学素子部の焦点距離を、プリント基板に搭載したチップＬＥＤ発光面に対し、正確に位置規制可能とする機能を担い、該光学素子部の裾部周囲に一体に設けたものとしなければならない。
【００２５】
配光制御レンズの位置決め嵌合部は、プリント基板に対して配光制御レンズを装着するだけで、各光学素子部の中央を、プリント基板に搭載したチップＬＥＤ発光面中央に一致するよう、正確に位置規制可能とする機能を担い、該光学素子部の裾部周囲に一体に設けたものとしなければならず、配光制御レンズをプリント基板に脱着可能に装着する嵌合爪や、ネジ用孔などに設けた端スリーブ状部分などとすることができる。
【００２６】
仮固定機構は、プリント基板に配光制御レンズまたは配光制御レンズアレイを機械的に固定可能とするという機能を担っており、両者を確り固定可能なものとしなければならず、メンテナンス作業などの際には脱着容易なものとすべきであり、ネジ結合、樹脂製爪や金属製クリップなどを組み込んだものなどとすることが可能であり、後述する実施例に示すように、プリント基板の対峙する両端がわ設けた一対のコネクタ接続用形状部としてのコネクタ接続孔、配光制御レンズアレイのプリント基板コネクタ接続用形状部に対応する両端がわ設けたコネクタ係合部としてのコネクタ嵌合溝、および、プリント基板各コネクタ接続用形状部としてのコネクタ接続孔と、それらに対応させた配光制御レンズアレイ各コネクタ係合部としてのコネクタ嵌合溝とを共に一体化するよう嵌合可能な嵌合顎部を有する一対のリード線接続コネクタからなり、該プリント基板両端の各コネクタ接続用形状部としてのコネクタ接続孔夫々に機械的および電気的に接続する各リード線接続コネクタが、配光制御レンズアレイの両端がわ各コネクタ係合部としてのコネクタ嵌合溝にも機械的に係合し、脱着容易に一体化してなるものとすることができ、また、各リード線接続コネクタは、プリント基板にネジ、クリップ、嵌着爪などの適宜連結機構によって着脱可能に結合可能なものとすることができる。
【００２７】
照明制御回路は、灯具筐体外からの外部電力や調光制御信号などを受け、ＬＥＤ光源装置への電力供給量を自動的または半自動的に制御可能とする機能を担い、ＬＥＤ電源、調光器およびフィルターなどを有するものとしなければならず、さらに、リード線接続コネクタ、電源接続レセプタクルおよび調光信号接続レセプタクルなどを有するものとするのが望ましい。
【００２８】
ＬＥＤ電源は、灯具筐体外部から供給される外部電力を、調光器などを介して各ＬＥＤ光源装置に供給し、発光可能および調光制御可能とするような機能を担っており、点灯のみに限定されている訳ではなく、必要に応じて点滅用の回路やサージ防護回路などを有するものとすることが可能であり、内部バッテリーや充電型バッテリーを有するものとすることができる。
【００２９】
調光器は、ＬＥＤ電源が、各ＬＥＤ光源装置に供給する電力を、自動的に調整可能とする機能を担うものであり、１個のチップＬＥＤ毎個別にオン・オフ制御可能なものとすることができる外、ＬＥＤ電源からの電力供給量を、昼間１００％、夜間５０％、深夜２５％などといった配分に自動制御するよう設定してなるもの、または、設置場所の実際の照度を自動検知し、その検知照度値を当該設置場所の照明基準照度と比較し、設置当初に過剰となる光量分を該照明基準照度付近まで自動的に減光制御し、この自動検知および減光制御を長期間に渡って継続的に繰り返すと共に、個々のチップＬＥＤの寿命劣化や照明器具の汚れなどに起因する減光の進展に応じて、制御減光量を自動的に漸減制御し、当該照明基準照度付近の検知照度値を自動的に維持可能としてなるものなど、様々な調光を自動的に行うものとすることができる。
【００３０】
灯具筐体は、ＬＥＤ光源装置および照明制御回路などの各部品を防塵、防水、放熱可能とするよう収容し、トンネル内壁面の適所に設置可能とすると共に、ＬＥＤ光源装置が発する照射光を所望の路面適所に向けて照射可能とする機能を担っており、概略直方体状の最も広い一面を照明開口として開口した容器型のものとし、その内部の底面長辺方向一側寄りに制御回路配置用区画を設定し、その長辺方向一側の制御回路配置用区画とは反対がわとなる他側に、底面短辺幅の中央付近で同長辺方向の直線状に縦分割した一対の光源装置配置用区画を設定したものとしなければならず、これら照明開口に、防水パッキンを介して透明板を密閉状に装着可能なものとすべきであり、後述することとなる実施例にも示しているように、ステンレス鋼製のものとし、底部外壁に灯具取付け脚を設け、周囲壁適所に、電源接続レセプタクルおよび調光信号接続レセプタクルを設け、照明開口周囲の均衡する複数箇所に配した透明板固定金具が、開閉可能とするよう密閉状に閉鎖可能なものとするのが望ましい。
【００３１】
放熱板の灯具筐体の底面長辺に平行に延びる仮想軸心回りに傾斜姿勢とする所定角度は、底面壁に対し、５度ないし３０度の範囲の何れか、設置場所の配光条件に応じて適宜選択した角度に設定したものとすべきであり、５度未満の傾斜角度の場合には、灯具筐体底壁に平行な標準姿勢の場合と殆ど照明範囲が変わらないものとなってしまうし、また、３０度を超える傾斜角度の場合には、灯具筐体の灯具筐体底部内壁から照明開口透明板までの深さ寸法を大きく設定しなければならず、ＬＥＤ照明灯具の大型化や重量の増大を招く虞がある上に、５度ないし３０度の範囲で充分に広範囲への配光設定を実現可能とすることができ、望ましくは、後述する実施例に示してあるように、約１５度に設定するのが最も望ましいと言える。
【００３２】
放熱板用の支持機構は、灯具筐体内一対の光源装置配置用区画中に、各放熱板を伝熱可能に安定支持可能とする機能を担い、各放熱板を効率的に放熱できるよう、所定の姿勢に確りと固定・支持可能なものとしなければならず、各放熱板を灯具筐体内壁適所に直接的に結合するようにしたものや、後述する実施例にも示すように、灯具筐体内壁適所との間にスペーサーなどを介在して僅かな間隙を確保するようにしたものなどとすることができる。
【００３３】
透明板は、灯具筐体内の各ＬＥＤ光源装置が発光する照明光を高効率透過可能にすると共に、防水、防塵可能とする機能を果たすものであり、高圧水洗浄に耐える充分な強度を有するものとしなければならず、後述する実施例に示すように、強化ガラス製のものとし、灯具筐体照明開口パッキン装着枠部との間に、シリコン材や天然ゴム、合成ゴム製などの防水処理を施すか、または、それらの防水部品を交換自在に組み込んでなるものとすることができる。
以下では、図面に示すこの発明を代表する実施例と共に、その構造について詳述することとする。                                                                                                            
【図面の簡単な説明】
【００３４】
図面は、この発明のＬＥＤ実装基板、およびＬＥＤ照明灯具の技術的思想を具現化した代表的な幾つかの実施例を示すものである。
【図１】ＬＥＤ実装基板を示す断面図である。
【図２】ＬＥＤ実装基板を示す正面図である。
【図３】プリント基板示す平面図である。
【図４】配光制御レンズアレイを示す正面図である。
【図５】配光制御レンズアレイを示す平面図である。
【図６】ＬＥＤ実装基板を示す平面図である。
【図７】ＬＥＤ実装基板を示す側面図である。
【図８】図６中のＬＥＤ実装基板Ａ−Ａ線部分を示す断面図である。
【図９】ＬＥＤ照明灯具を示す平面図である。
【図１０】図９中のＬＥＤ照明灯具Ｂ−Ｂ線部分を示す断面図である。
【図１１】ＬＥＤ照明灯具を示す平面図である。
【図１２】図１１中のＬＥＤ照明灯具Ｃ−Ｃ線部分を示す断面図である。
【図１３】（ａ）ＬＥＤ照明灯具を示す平面図である。  （ｂ）ＬＥＤ照明灯具を示す側面図である。  （ｃ）ＬＥＤ照明灯具を示す下面図である。  （ｄ）ＬＥＤ照明灯具を示す正面図である。
【図１４】ＬＥＤ光源装置の一変形例を断面化して示す正面図である。
【図１５】ＬＥＤ光源装置のその他の変形例を断面化して示す正面図である。
【図１６】ＬＥＤ光源装置のさらにその他の変形例を断面化して示す正面図である。
【実施例１】
【００３５】
図１および図２に示してある事例は、プリント基板５０上の複数箇所夫々にチップＬＥＤ６，６，……用の位置決め搭載箇所５１，５１，……を設定するようにし、その周囲に略均衡するよう複数個の被嵌合部５２，５２を設け、各位置決め搭載箇所５１，５１，……に、チップＬＥＤ６を搭載し、各チップＬＥＤ６，６，……には、光学素子部７１、その裾部周囲に設けた焦点距離規制座面７２、および各被嵌合部５２，５２に対応する位置決め嵌合部７３，７３を有する配光制御レンズ７，７，……を、各焦点距離規制座面７２が、当該プリント基板５０上に接合し、被着するよう組合せた上、各位置決め嵌合部７３，７３を、同プリント基板５０の対応する被嵌合部５２，５２に嵌合し、位置決め可能とし、適宜仮固定機構を介して一体化してなるものとした、この発明のＬＥＤ実装基板における代表的な一実施例を示すものである。
【００３６】
それら各図からも明確に把握できるとおり、この発明のＬＥＤ実装基板５は、裏面に図示しない配線回路をプリントしたプリント基板５０を有し、該プリント基板５０表面上の適宜間隔を隔てた点在状となる複数箇所夫々に、組み込み目標や位置決め基準などとなるプリント、凹凸嵌合形状や装着孔などの加工、または、自動組立機械に入力した組込み位置座標値などにより、チップＬＥＤ６，６，……用の位置決め搭載箇所５１，５１，……を設定し、各位置決め搭載箇所５１，５１，……のチップＬＥＤ６を挟み状に対峙する周囲２箇所には、夫々円柱形のボス穴からなる被嵌合部５２，５２を穿設し、各位置決め搭載箇所５２，５２，……に、夫々チップＬＥＤ６，６，……を位置決めすると共に裏面の配線回路に電気的に接続したものとし、各チップＬＥＤ６，６，……には、夫々個別の配光制御レンズ７，７，……を被着するよう組み込んでなるものであり、該配光制御レンズ７は、概略肉厚ドーム形を呈し、対象チップＬＥＤ６の照明範囲を覆う光学素子部７１、該光学素子部７１の裾部周囲に一平面または同一面とするよう設けた、一つまたは複数の焦点距離規制座面７２、および、該光学素子部７１周囲に相当し、該焦点距離規制座面７２から、当該プリント基板５０各被嵌合部５２，５２に対応するよう、一対の円柱形位置決め嵌合部７３，７３を突設したものとし、各置決め嵌合部７３，７３を当該プリント基板５０各被嵌合部５２，５２に嵌合し、該焦点距離規制座面７２を当該プリント基板５０の表面に積層状に接合し、各置決め嵌合部７３，７３の嵌合によって該配光制御レンズ７を、当該プリント基板５０に確りと位置決め結合したものとしてある。
【００３７】
また、図３ないし図８に示すように、後述する実施例２に示す、灯具筐体（２）光源装置配置用区画（２１，２２）に複数個、適宜間隔を隔てて配列状に収容可能な寸法とした長方形状のＬＥＤ実装基板５は、そのプリント基板５０表面上の短辺方向に隣り合い、底面壁２５長辺方向に平行な二列をなし、隣接するもの同士が互いに適宜間隔を隔てた点在状となる複数箇所夫々に、チップＬＥＤ６，６，……用の位置決め搭載箇所５１，５１，……を設定し、底面壁２５短辺中央に相当する同長辺方向両端縁に、夫々矩形状のコネクタ接続用形状部５３，５３としてのコネクタ接続孔５３，５３を穿設し、さらに四角付近には、後述する実施例２に示す、放熱板（４）への固定用となる固定用溝孔５４，５４，……を穿設し、各チップＬＥＤ６，６，……用の位置決め搭載箇所５１，５１，……の周囲には、適宜配置となる複数個の溝部または凸部からなる被嵌合部５２，５２，……を設けると共に、各位置決め搭載箇所５１，５１，……に、夫々チップＬＥＤ６を位置決め搭載したものとする。
【００３８】
プリント基板５０の表面上に実装した各チップＬＥＤ６，６，……には、同プリント基板５０上の主要範囲に積層状被着可能な透明板状体７０からなり、各チップＬＥＤ６，６，……に対応する箇所夫々に概略肉厚ドーム形を呈し、対象チップＬＥＤ６，６，……の照明範囲を覆う光学素子部７１，７１，……、各光学素子部７１，７１，……の裾部周囲に設けた焦点距離規制座面７２、および、各光学素子部７１，７１，……の余となる範囲の、当該プリント基板５０各被嵌合部５２，５２，……に対応する複数箇所に夫々に設けた凸部または溝部からなる位置決め嵌合部７３，７３，……を一体化し、プリント基板５０のコネクタ接続孔５３，５３に対応する底部壁２５短辺中央に相当する同長辺方向両端縁に、夫々概略Ｕ字形に開口するコネクタ係合部７４，７４としてのコネクタ嵌合溝７４，７４を設けた透明合成樹脂製の配光制御レンズアレイ７０を、その焦点距離規制座面７２が、当該プリント基板５０表面上に積層状に接合・被着するよう組合せた上、各位置決め嵌合部７３，７３，……が、同プリント基板５０の対応する各被嵌合部５２，５２，……に嵌合・位置決めし、さらに、プリント基板５０各コネクタ接続孔５３，５３夫々に装着した一対のリード線接続コネクタ（仮固定機構）８３，８３の各嵌合顎部８４，８４を、対応させた配光制御レンズアレイ７０各コネクタ嵌合溝７４，７４に嵌合し、プリント基板５０と配光制御レンズアレイ７０とを、互いの底部壁２５長辺方向両端にて機械的に一体化するよう連結し、しかも一対のリード線接続コネクタ８３，８３の双方をプリント基板５０裏面の図示しない配線回路に電気的に接続し、後述する照明制御回路（８）からの電力を供給可能としたものである。
【００３９】
（実施例１の作用・効果）
以上のとおりの構成からなるこの発明のＬＥＤ実装基板５は、図１および図２に示すように、プリント基板５０に複数個のチップＬＥＤ６，６，……を搭載しただけでなく、各チップＬＥＤ６，６，……に対し、夫々正確な焦点距離となる位置に、配光制御レンズ７，７，……を効率的に組み込み、一体化したものとしてあるから、ＬＥＤ実装基板５をそのまま組み込むだけで、特別なレンズ取り付けの位置調整などを要さずとも、最も理想的な照明および配光を実現化可能とするＬＥＤ照明灯具を効率的に生産することができ、さらに、プリント基板５０に搭載する複数個のチップＬＥＤ６，６，……に対応する光学素子部７１，７１，……を一体化してなる配光制御レンズアレイ７０を、プリント基板５０に組み込んだものは、レンズの個別調整が不要となり、一対のリード線接続コネクタ８３，８３を組み込むだけで、プリント基板５０と配光制御レンズアレイ７０とを、適正な位置に一体化することができ、より効率的な組立て作業を実現化するものとなる。                                                  
【実施例２】
【００４０】
図９ないし図１６に示す事例は、灯具筐体２内の底面壁２５長辺方向一側寄りに設定した制御回路配置用区画２０に、照明制御回路８を収納し、該灯具筐体２内の底面壁２５長辺方向他側に、底面２５短辺幅中央付近で縦分割した一対の光源装置配置用区画２１，２２を設定し、それら一対の光源装置配置用区画２１，２２中の少なくとも何れか一方には、放熱板４を当該灯具筐体２底壁２５に平行な標準姿勢、および、同灯具筐体２の底面壁２５長辺に平行に延びる仮想軸心回りの所定角度αに傾けた傾斜姿勢の何れか一方の支持姿勢とするよう固定し、各放熱板４の灯具筐体２照明開口２３に臨む表面に適数のＬＥＤ実装基板５，５，……を適宜配するよう搭載し、ＬＥＤ光源装置３を設けた上、当該灯具筐体２照明開口２３に、透明板Ｇを密閉状に装着してなるものとした、この発明のＬＥＤ照明灯具における代表的な一実施例を示すものである。
【００４１】
図９ないし図１３からも明確に把握できるとおり、この発明のＬＥＤ照明灯具１は、その灯具筐体２が、概略直方体状のステンレス鋼製の筐体２であって、同筐体２の六面中、最も広い二面の一方のみを照明開口２３とするよう開口して容器型とし、その開口縁の全周に沿って段差断面形のパッキン装着枠部２４を設け、底部外壁２６の長辺方向両端寄りの二箇所には、防水シート２８を積層・密閉状に挟み込み、底面壁２５短辺方向外がわに取付け端部を延伸したステンレス鋼板製の灯具取付け脚２７，２７をネジ結合したものであり、該灯具筐体２の底面壁２５長辺に対応する周囲壁適所に、電源接続レセプタクル８５および調光信号接続レセプタクル８６を埋設し、該灯具筐体２内の底面壁２５長辺方向一側寄りに設定した制御回路配置用区画２０の底部内壁２５に、ＬＥＤ電源８０、調光器８１およびフィルター８２などの照明制御回路８を集合状に収納し、該灯具筐体２内の底面壁２５長辺方向一側の制御回路配置用区画２０とは反対がわの他側に、底面壁２５短辺幅の中央付近で同長辺方向の直線状に縦分割した一対の光源装置配置用区画２１，２２を設定し、それら一対の光源装置配置用区画２１，２２範囲に相当する底部内壁２５に、同底部内壁２５との間に僅かな間隙４４を確保するよう、複数のスペーサー４５，４５，……を介し、支持機構としてのアルミニウム平板製のベース板４３（支持機構）を該底部内壁２５に平行姿勢にネジ結合したものとしてある。
【００４２】
図１２に示すように、ベース板４３（支持機構）は、一対の光源装置配置用区画２１，２２に留まらず、制御回路配置用区画２０まで拡張し、その表面上に照明制御回路８を搭載するようにしたものとすることができる。
また、図９および図１０に示しているように、放熱板４の支持機構となるベース板４３上には、一対の光源装置配置用区画２１，２２の範囲内に収まる外郭寸法のアルミニウム板製矩形板体であり、一対の光源装置配置用区画２１，２２中の一方に相当する長方形範囲（２２）を、灯具筐体２底壁２５に平行な標準姿勢の正面板部４０とし、一対の光源装置配置用区画２１，２２中の他方に相当し、該正面板部４０の余となる長方形範囲（２１）を、灯具筐体２の底面壁２５長辺に平行に延びる仮想軸心回りの所定角度（図１０中に示すα）例えば１５度に傾けた傾斜姿勢に折り曲げ、傾斜板部４１とした放熱板４を、その正面板部４０が、一対の光源装置配置用区画２１，２２中の一方（２２）に相当するベース板４３表面に積層状に接合し、固定ネジによって結合・搭載したものとしてある。
【００４３】
放熱板４傾斜板部４１の所定角度（図１０中に示すα）については、灯具筐体２の底面壁２５短辺外端がわを照明開口２３寄りに立ち上げた１５度とする外に、５度ないし３０度の範囲の何れか、設置場所の配光条件に応じて適宜選択した角度に設定することが可能であって、灯具筐体２の大型化や重量の増大を差し支えないものすれば、０度ないし４５度の何れかの角度に立ち上げたり、０度ないし−４５度の何れかの角度に下り勾配状に垂れ下げ（但し、立ち上げ、下り勾配状などの表現は、何れも図１０の灯具筐体２姿勢の場合）、設定したりすることができる外、必要な場合には、灯具筐体２内空間を深く確保し、±４５度を超えた±９０度に近い角度に設定することも可能である。
【００４４】
図９に示してあるように、放熱板４正面板部４０および傾斜板部４１には、夫々灯具筐体２照明開口２３に臨む表面に反射膜となる反射シート４２，４２を積層状に貼着し、同じく正面板部４０および傾斜板部４１の各表面には、前述の実施例１図３ないし図８に示した、ＬＥＤ実装基板５，５，……の適数を、適宜間隔を隔てて配するよう搭載し、各ＬＥＤ実装基板５，５，……の固定用溝孔５４，５４，……（図６中に示す）に、正面板部４０および傾斜板部４１から立ち上げた嵌着用凸部に嵌合し、一体的に固定したものとする外、各固定用溝孔５４，５４，……を通じて図示しない止めネジを螺着して正面板部４０および傾斜板部４１の夫々に一体的に結合・搭載し、ＬＥＤ光源装置３を設けたものとしてある。
このようにして、照明制御回路８およびＬＥＤ光源装置３を収容した灯具筐体２は、その照明開口２３パッキン装着枠部２４に、長方形環状の防水パッキンＰを介して強化ガラス板製の透明板Ｇを装着し、照明開口２３周囲の均衡する四角に配した透明板Ｇ固定金具Ｆ，Ｆ，……が、開閉可能とするよう密閉状に閉鎖してなるものである。
【００４５】
図９および図１１に示すように、正面板部４０および傾斜板部４１の各表面に搭載するＬＥＤ実装基板５，５，……の数および配置は、各正面板部４０および傾斜板部４１の照明対象範囲や、当該ＬＥＤ照明灯具１の設置場所など、様々な条件に応じて適宜加減設定することが可能である。
【００４６】
また、図１４に示すように、一対の光源装置配置用区画２１，２２中の何れか一方にのみ、放熱板４の正面板部４０または傾斜板部４１を設けたものとすることができる外、図１５に示すように、一対の光源装置配置用区画２１，２２の双方に、傾斜板部４１，４１を互いに対称の傾斜姿勢となるよう支持したものとすることや、互いに異なる（非対称）姿勢角度に支持したもの（図示していない）などとすることができ、さらにまた、図１６に示すように、前述の図１０に示したのとは、反対がわの光源装置配置用区画２２に傾斜板部４１を配し、図１０中の、傾斜板部４１を配したがわの光源装置配置用区画２１に正面板部４０を設けたものなどとすることが可能である。
【００４７】
（実施例２の作用・効果）
この発明のＬＥＤ照明灯具１は、図９ないし図１３に示すように、灯具筐体２の底面壁２５長辺方向の一側よりに制御回路配置用区画２０を配し、それとは反対がわに、底面壁２５短辺幅の中央付近で同長辺方向の直線状に縦分割した一対の光源装置配置用区画２１，２２を設け、一対の光源装置配置用区画２１，２２中の一方に傾斜板部４１、他方に正面板部４０を設けた放熱板４を収容・搭載したから、当該ＬＥＤ照明灯具１を、トンネルの天井内壁や、天井壁近傍の側内壁などの適所に、底面壁２５長辺方向を路面走行方向に向けた姿勢に、灯具取付け脚２７，２７，……を介して設置し、電源接続レセプタクル８５および調光信号接続レセプタクル８６に、夫々配線接続することにより、例えば、走行条件の異なる対向２車線道路（図示せず）の一方の車線に、傾斜板部４１搭載の各ＬＥＤ実装基板５，５，……の照明が所望の適切な角度にて照明し、また、隣接する他方の車線に、正面板部４０搭載の各ＬＥＤ実装基板５，５，……の照明が所望の適切な角度にて照明するものとなり、より安全性に秀でた照明を実現化するようにし、さらに、該放熱板４は、ベース板４３を介して搭載してあるから、灯具筐体２底部内壁２５とベース板４３との間の僅かな間隙４４が、放熱板４全体の放熱性を高めるものとなり、しかも傾斜板部４１が、ベース板４３から立ち上がる形状としたから、放熱性をより高めたものとすることができ、各チップＬＥＤ６，６，……の耐久寿命を大幅に延命化することができるものとなる。
【００４８】
（結  び）
叙述の如く、この発明のＬＥＤ実装基板およびＬＥＤ照明灯具は、その新規な構成によって所期の目的を遍く達成可能とするものであり、しかも製造も容易で、従前からのＬＥＤ照明灯具技術に比較して大幅に、生産効率を高め、軽量且つ低廉化して遥かに経済的なものとすることができる上、設置作業性を大幅に改善し得るものとなることから、従前までは、トンネル内の走行安全性を確保するため、より多くの台数のＬＥＤ照明灯具を設置しなければならなかったが、１台のＬＥＤ照明灯具で少なくとも２台分以上の照明効果を得るものとすることができ、国道や市町村道のような各種一般道路を管理する公共団体はもとより、自動車専用道路や高速道路などのトンネルを管理する企業や道路管理業界からも、高く評価され、広範に渡って利用、普及していくものになると予想される。                                              
【符号の説明】
【００４９】
１      ＬＥＤ照明灯具
２      灯具筐体
２０    同  制御回路配置用区画
２１    同  一対中一方の光源装置配置用区画
２２    同  一対中他方の光源装置配置用区画
２３    同  照明開口
２４    同  パッキン装着枠部
２５    同  底部内壁
２６    同  底部外壁
２７    同  灯具取付け脚
２８    同  防水シート
Ｆ      透明板固定金具
Ｐ      防水パッキン
Ｇ      透明板
３      ＬＥＤ光源装置
４      放熱板
４０    同  正面板部
４１    同  傾斜板部
α      所定角度
４２    同  反射シート（反射膜）
４３    同  ベース板（支持機構）
４４    同  間隙
４５    同  スペーサー
５      ＬＥＤ実装基板
５０    同  プリント基板
５１    同  位置決め搭載箇所
５２    同  被嵌合部
５３    同  コネクタ接続孔（コネクタ接続用形状部）
５４    同  固定用溝孔
６      チップＬＥＤ
７      配光制御レンズ
７０    同  配光制御レンズアレイ
７４    同  コネクタ嵌合溝（コネクタ係合部）
７１    同  光学素子部
７２    同  焦点距離規制座面
７３    同  位置決め嵌合部
８      照明制御回路
８０    同  ＬＥＤ電源
８１    同  調光器
８２    同  フィルター
８３    同  リード線接続コネクタ（仮固定機構）
８４    同  各嵌合顎部
８５      電源接続レセプタクル
８６      調光信号接続レセプタクル
【図１】
0006035274.tif 000002
【図２】
0006035274.tif 000003
【図３】
0006035274.tif 000004
【図４】
0006035274.tif 000005
【図５】
0006035274.tif 000006
【図６】
0006035274.tif 000007
【図７】
0006035274.tif 000008
【図８】
0006035274.tif 000009
【図９】
0006035274.tif 000010
【図１０】
0006035274.tif 000011
【図１１】
0006035274.tif 000012
【図１２】
0006035274.tif 000013
【図１３】
0006035274.tif 000014
【図１４】
0006035274.tif 000015
【図１５】
0006035274.tif 000016
【図１６】
0006035274.tif 000017